(57)【要約】【課題】ペン描画機能を有さないプロジェクターであっても、ペンにより入力された文字や図形等の情報を共有する。【解決手段】第１プロジェクター１００は、第１画像情報ＰＪ１を第２プロジェクター２００及び第３プロジェクター３００の各々に送信し、第２プロジェクター２００は、第１画像情報ＰＪ１に基づき第１画像Ｐ１をスクリーンＳＣ２に表示し、スクリーンＳＣ２に対する指示体３Ｂの位置を検出し、指示体３Ｂの位置を示す第１情報Ｊ１を第１プロジェクター１００に送信し、第１プロジェクター１００は、第１情報Ｊ１に基づいて第１描画オブジェクトＢＪ１を生成し、第１描画オブジェクトＢＪ１を含む第２画像情報ＰＪ２を第２プロジェクター２００及び第３プロジェクター３００の各々に送信し、第２プロジェクター２００及び第３プロジェクター３００の各々は、第２画像情報ＰＪ２に基づき、第２画像Ｐ２を表示する。【選択図】図９
2020190619.tif 000002
【特許請求の範囲】
【請求項１】
互いに通信可能に接続された第１表示装置、第２表示装置、及び第３表示装置を備える表示システムの制御方法であって、
前記第１表示装置は、第１画像情報を前記第２表示装置及び第３表示装置の各々に送信し、
前記第２表示装置は、前記第１画像情報に基づき第１画像を第１表示面に表示し、
前記第２表示装置は、前記第１表示面に対する第１指示体の位置を検出し、
前記第２表示装置は、前記第１指示体の位置を示す第１情報を前記第１表示装置に送信し、
前記第１表示装置は、前記第１情報に基づいて第１描画オブジェクトを生成し、前記第１描画オブジェクトを含む第２画像情報を前記第２表示装置及び前記第３表示装置の各々に送信し、
前記第２表示装置及び前記第３表示装置の各々は、前記第２画像情報に基づき、第２画像を表示する、表示システムの制御方法。
【請求項２】
前記第２表示装置は、前記第２表示装置と通信可能に接続された第４表示装置に対する前記第１画像情報及び前記第２画像情報の送信が禁止され、
前記第３表示装置は、前記第３表示装置と通信可能に接続された第５表示装置に対する前記第１画像情報及び前記第２画像情報の送信が禁止される、請求項１に記載の表示システムの制御方法。
【請求項３】
前記第２表示装置は、サーバー機能を実行するメニューの表示が禁止されることによって、前記第４表示装置に対する前記第１画像情報及び前記第２画像情報の送信が禁止され、
前記第３表示装置は、前記メニューの表示が禁止されることによって、前記第５表示装置に対する前記第１画像情報及び前記第２画像情報の送信が禁止される、請求項２に記載の表示システムの制御方法。
【請求項４】
前記第２表示装置は、前記第１情報に基づいて第２描画オブジェクトを生成し、前記第２描画オブジェクトを含む第３画像を前記第１表示面に表示する、請求項１から３のいずれか１項に記載の表示システムの制御方法。
【請求項５】
前記第２表示装置は、前記第３画像を前記第１表示面に表示することを開始してから所定時間が経過した場合に、前記第３画像の前記第１表示面への表示を終了する、請求項４に記載の表示システムの制御方法。
【請求項６】
前記第２表示装置は、前記第１表示装置から前記第２画像情報を受信した場合に、前記第３画像の前記第１表示面への表示を終了する、請求項４に記載の表示システムの制御方法。
【請求項７】
前記第２表示装置は、前記第１表示面における前記第１画像の表示領域に対する前記第１指示体の位置を検出する、請求項１から６のいずれか１項に記載の表示システムの制御方法。
【請求項８】
前記第１表示装置は、前記第１画像に前記第１描画オブジェクトを重畳して前記第２画像情報を生成する、請求項１から７のいずれか１項に記載の表示システムの制御方法。
【請求項９】
前記第１表示装置は、前記第１画像を第２表示面に表示し、前記第２表示面に対する第２指示体の位置を検出し、前記第２指示体の位置に基づいて第３描画オブジェクトを生成し、前記第１描画オブジェクト及び前記第３描画オブジェクトを含む第４画像情報を前記第２表示装置及び前記第３表示装置の各々に送信し、
前記第２表示装置及び前記第３表示装置の各々は、前記第４画像情報に基づき、第４画像を表示する、請求項１から８のいずれか１項に記載の表示システムの制御方法。
【請求項１０】
前記第１表示装置は、前記第１画像に前記第１描画オブジェクト及び前記第３描画オブジェクトを重畳して前記第４画像情報を生成する、請求項９に記載の表示システムの制御方法。
【請求項１１】
互いに通信可能に接続された第１表示装置、第２表示装置、及び第３表示装置を備える表示システムであって、
前記第１表示装置は、第１画像情報を前記第２表示装置及び第３表示装置の各々に送信する第１送信部を備え、
前記第２表示装置は、
前記第１画像情報に基づき第１画像を第１表示面に表示する表示制御部と、
前記第１表示面に対する指示体の位置を検出する位置検出部と、
前記指示体の位置を示す第１情報を前記第１表示装置に送信する第２送信部と、
を備え、
前記第１表示装置は、前記第１情報に基づいて描画オブジェクトを生成し、
前記第１送信部は、前記描画オブジェクトを含む第２画像情報を前記第２表示装置及び前記第３表示装置の各々に送信し、
前記第２表示装置及び前記第３表示装置の各々は、前記第２画像情報に基づき、第２画像を表示する、表示システム。
【発明の詳細な説明】
【技術分野】
【０００１】
本発明は、表示システムの制御方法、及び表示システムに関する。
【背景技術】
【０００２】
プロジェクターの投影画面に対し、専用のペンや指等を使用して文字や図形等を描くことが可能なインタラクティブ技術が知られている。
また、そのようなインタラクティブ機能を有するプロジェクターによって描かれた文字や図形等の情報を、ネットワーク経由で遠隔地に設けられた他のプロジェクターと共有する双方向のインタラクティブ技術が知られている（例えば、特許文献１参照）。
特許文献１に記載の画像投影システムでは、プロジェクターは、専用ペンによって入力されたペン描画情報を、ネットワーク経由で接続された他のプロジェクターへ送信する。また、他のプロジェクターは、受け取ったペン描画情報に基づいて、遠隔地でのペンによる描画状態を自身のデバイスへ反映する。
【先行技術文献】
【特許文献】
【０００３】
【特許文献１】特開２０１５−１４９６４８号公報
【発明の概要】
【発明が解決しようとする課題】
【０００４】
一方、特許文献１に記載の画像投影システムを、遠隔会議システムとして用いる場合には、ペン描画情報だけでなく、外部映像と共に投影映像を共有することが求められる。外部映像は、外部から入力された映像であって、例えば会議用のスライド資料画像である。
特許文献１に記載の画像投影システムでは、複数のプロジェクター間で共有されたペン描画情報に基づいて、各プロジェクターがペンにより入力された文字や図形等を描画する。また、ペン描画機能を有さないプロジェクター（いわゆる、非インタラクティブプロジェクター）は、ペン入力による文字や図形等の情報を画面に表示できない。そこで、ペン描画機能を有さないプロジェクターは、ペン描画機能を有するプロジェクター（いわゆる、インタラクティブプロジェクター）においてペンにより入力された文字や図形等の情報を共有できないという課題があった。
【課題を解決するための手段】
【０００５】
上記課題を解消する一態様は、互いに通信可能に接続された第１表示装置、第２表示装置、及び第３表示装置を備える表示システムの制御方法であって、前記第１表示装置は、第１画像情報を前記第２表示装置及び第３表示装置の各々に送信し、前記第２表示装置は、前記第１画像情報に基づき第１画像を第１表示面に表示し、前記第２表示装置は、前記第１表示面に対する第１指示体の位置を検出し、前記第２表示装置は、前記第１指示体の位置を示す第１情報を前記第１表示装置に送信し、前記第１表示装置は、前記第１情報に基づいて第１描画オブジェクトを生成し、前記第１描画オブジェクトを含む第２画像情報を前記第２表示装置及び前記第３表示装置の各々に送信し、前記第２表示装置及び前記第３表示装置の各々は、前記第２画像情報に基づき、第２画像を表示する、表示システムの制御方法である。
【０００６】
上記表示システムの制御方法において、前記第２表示装置は、前記第２表示装置と通信可能に接続された第４表示装置に対する前記第１画像情報及び前記第２画像情報の送信が禁止され、前記第３表示装置は、前記第３表示装置と通信可能に接続された第５表示装置に対する前記第１画像情報及び前記第２画像情報の送信が禁止される構成であってもよい。
【０００７】
上記表示システムの制御方法において、前記第２表示装置は、サーバー機能を実行するメニューの表示が禁止されることによって、前記第４表示装置に対する前記第１画像情報及び前記第２画像情報の送信が禁止され、前記第３表示装置は、前記メニューの表示が禁止されることによって、前記第５表示装置に対する前記第１画像情報及び前記第２画像情報の送信が禁止される構成であってもよい。
【０００８】
上記表示システムの制御方法において、前記第２表示装置は、前記第１情報に基づいて第２描画オブジェクトを生成し、前記第２描画オブジェクトを含む第３画像を前記第１表示面に表示する構成であってもよい。
【０００９】
上記表示システムの制御方法において、前記第２表示装置は、前記第３画像を前記第１表示面に表示することを開始してから所定時間が経過した場合に、前記第３画像の前記第１表示面への表示を終了する構成であってもよい。
【００１０】
上記表示システムの制御方法において、前記第２表示装置は、前記第１表示装置から前記第２画像情報を受信した場合に、前記第３画像の前記第１表示面への表示を終了する構成であってもよい。
【００１１】
上記表示システムの制御方法において、前記第２表示装置は、前記第１表示面における前記第１画像の表示領域に対する前記第１指示体の位置を検出する構成であってもよい。
【００１２】
上記表示システムの制御方法において、前記第１表示装置は、前記第１画像に前記第１描画オブジェクトを重畳して前記第２画像情報を生成する構成であってもよい。
【００１３】
上記表示システムの制御方法において、前記第１表示装置は、前記第１画像を第２表示面に表示し、前記第２表示面に対する第２指示体の位置を検出し、前記第２指示体の位置に基づいて第３描画オブジェクトを生成し、前記第１描画オブジェクト及び前記第３描画オブジェクトを含む第４画像情報を前記第２表示装置及び前記第３表示装置の各々に送信し、前記第２表示装置及び前記第３表示装置の各々は、前記第４画像情報に基づき、第４画像を表示する構成であってもよい。
【００１４】
上記表示システムの制御方法において、前記第１表示装置は、前記第１画像に前記第１描画オブジェクト及び前記第３描画オブジェクトを重畳して前記第４画像情報を生成する構成であってもよい。
【００１５】
上記課題を解消する別の一態様は、互いに通信可能に接続された第１表示装置、第２表示装置、及び第３表示装置を備える表示システムであって、前記第１表示装置は、第１画像情報を前記第２表示装置及び第３表示装置の各々に送信する第１送信部を備え、前記第２表示装置は、前記第１画像情報に基づき第１画像を第１表示面に表示する表示制御部と、前記第１表示面に対する指示体の位置を検出する位置検出部と、前記指示体の位置を示す第１情報を前記第１表示装置に送信する第２送信部と、を備え、前記第１表示装置は、前記第１情報に基づいて描画オブジェクトを生成し、前記第１送信部は、前記描画オブジェクトを含む第２画像情報を前記第２表示装置及び前記第３表示装置の各々に送信し、前記第２表示装置及び前記第３表示装置の各々は、前記第２画像情報に基づき、第２画像を表示する、表示システムである。
【図面の簡単な説明】
【００１６】
【図１】本実施形態に係る表示システムの全体構成の一例を示す図。
【図２】第１プロジェクター、指示体、及びスクリーンの一例を示す斜視図。
【図３】プロジェクター及び指示体の構成の一例を示すブロック図。
【図４】第１制御部〜第３制御部の構成の一例を示すブロック図。
【図５】第１制御部〜第３制御部の動作の一例を示す画像図。
【図６】第１制御部〜第３制御部の動作の一例を示す画像図。
【図７】第１制御部〜第３制御部の動作の一例を示す画像図。
【図８】アスペクト比が相違する場合の第２位置検出部の動作の一例を示す画像図。
【図９】第１制御部〜第３制御部の処理の一例を示すフローチャート。
【図１０】第１制御部〜第３制御部の処理の他の一例を示すフローチャート。
【発明を実施するための形態】
【００１７】
以下、添付図面を参照しながら実施形態について説明する。
［１．表示システムの構成］
［１−１．表示システムの全体構成］
図１は、本実施形態に係る表示システム１の全体構成の一例を示す図である。
表示システム１は、第１プロジェクター１００と、第２プロジェクター２００と、第３プロジェクター３００とを備える。
【００１８】
第１プロジェクター１００と、第２プロジェクター２００と、第３プロジェクター３００とは、ネットワークＮＷを介して互いに通信可能に接続される。ネットワークＮＷは、例えばインターネットである。
本実施形態では、ネットワークＮＷがインターネットであるが、本発明の実施形態はこれに限定されない。ネットワークＮＷがＬＡＮ（Ｌｏｃａｌ  Ａｒｅａ  Ｎｅｔｗｏｒｋ）でもよいし、ネットワークＮＷがＷＡＮ（Ｗｉｄｅ  Ａｒｅａ  Ｎｅｔｗｏｒｋ）でもよい。
【００１９】
ネットワークＮＷには、第４プロジェクター４００と、第５プロジェクター５００とが接続されている。
第２プロジェクター２００は、ネットワークＮＷを介して、第４プロジェクター４００と互いに通信可能に接続される。
第３プロジェクター３００は、ネットワークＮＷを介して、第５プロジェクター５００と互いに通信可能に接続される。
【００２０】
第１プロジェクター１００は、スクリーンＳＣ１に画像を投射して表示し、第２プロジェクター２００は、スクリーンＳＣ２に画像を投射して表示し、第３プロジェクター３００は、スクリーンＳＣ３に画像を投射して表示する。以下の説明では、スクリーンＳＣ１、スクリーンＳＣ２、及びスクリーンＳＣ３を、スクリーンＳＣと総称する場合がある。
なお、スクリーンＳＣ１は、「第２表示面」の一例に対応し、スクリーンＳＣ２は、「第１表示面」の一例に対応する。
【００２１】
第１プロジェクター１００は、「第１表示装置」の一例に対応し、第２プロジェクター２００は、「第２表示装置」の一例に対応し、第３プロジェクター３００は、「第３表示装置」の一例に対応する。また、第４プロジェクター４００は、「第４表示装置」の一例に対応し、第５プロジェクター５００は、「第５表示装置」の一例に対応する。
【００２２】
［１−２．プロジェクター、指示体及びスクリーンの概略構成］
図２は、第１プロジェクター１００、指示体３Ａ、及びスクリーンＳＣ１の一例を示す斜視図である。
第１プロジェクター１００〜第５プロジェクター５００の各々は、略同一の構成を有するため、以下の説明では、図２及び図３を参照して、第１プロジェクター１００の構成について説明し、第２プロジェクター２００〜第５プロジェクター５００の構成については説明を省略する。
【００２３】
第１プロジェクター１００は、指示体３Ａからの入力に基づき、文字、図形等の描画画像を生成する。また、第２プロジェクター２００は、指示体３Ｂからの入力に基づき、文字、図形等の描画画像を生成する。
指示体３Ａは、「第２指示体」の一例に対応する。また、指示体３Ｂは、「第１指示体」の一例に対応する。以下の説明では、指示体３Ａと指示体３Ｂとを指示体３と総称する場合がある。
【００２４】
また、第１プロジェクター１００及び第２プロジェクター２００の各々は、インタラクティブのプロジェクターであり、第３プロジェクター３００〜第５プロジェクター５００の各々は、非インタラクティブのプロジェクターである。「インタラクティブ」とは、指示体３によるペン描画機能を有することを示し、「非インタラクティブ」とは、指示体によるペン描画機能を有しないことを示す。なお、本実施形態では、指示体３としてペン型の指示体を用い、プロジェクターが指示体３の位置を検出し、指示体３の位置の軌跡に応じた文字、図形等の描画画像を生成することをペン描画機能としているが、指示体３としてユーザーの指を用い、ユーザーの指の位置の軌跡に応じた文字、図形等の描画画像を生成する描画機能がペン描画機能に含まれてもよい。
【００２５】
ユーザーが指示体３ＡをスクリーンＳＣ１に接触させて移動させた場合に、第１プロジェクター１００は、指示体３ＡのスクリーンＳＣ１に対する位置を検出し、指示体３Ａの位置の軌跡に応じた文字、図形等の描画画像を生成する。
指示体３Ａは、本実施形態では、ユーザーが手に持って使用するペン型の指示体であって、発光可能な先端部３１と、ユーザーが把持する軸部３３とを有する。先端部３１には近赤外光を発光するＬＥＤ（Ｌｉｇｈｔ  Ｅｍｉｔｔｉｎｇ  Ｄｉｏｄｅ）等の光源が搭載されている。指示体３Ａは、先端部３１のスクリーンＳＣ１への接触を検出し、先端部３１において所定の発光間隔で光源が発光する。
【００２６】
本実施形態では、指示体３がペン型の指示体である場合について説明するが、例えば、ユーザーの指を指示体３として用いることも可能である。
【００２７】
第１プロジェクター１００は、いわゆる短焦点のプロジェクターであって、表示面であるスクリーンＳＣ１の上方の壁面に固定される。第１プロジェクター１００の設置方法は、図１に示す壁掛け設置に限定されず、机や台や床等の上に平置きする平置き設置、又は、第１プロジェクター１００を天井から吊り下げる天吊り設置であってもよい。
また、スクリーンＳＣ１は、壁に固定され、又は床面に立設された平板又は幕である。
本実施形態では、「第１表示面」及び「第２表示面」を含む表示面が、スクリーンＳＣであるが、表示面は、スクリーンＳＣに限定されず、例えば、壁面自体をスクリーンとして使用することも可能である。
【００２８】
第１プロジェクター１００は、光学的な画像である画像光ＰＬを生成し、生成した画像光ＰＬをスクリーンＳＣ１に投射する。スクリーンＳＣ１には、画像光ＰＬに基づく画像が結像する。第１プロジェクター１００が画像光ＰＬを投射可能なスクリーンＳＣ１の範囲を投射領域１０という。
【００２９】
また、第１プロジェクター１００は、図３に示す撮像部１０５を備える。撮像部１０５は、スクリーンＳＣ１を含む範囲を斜め上方から撮像し、少なくともスクリーンＳＣ１を含む範囲を撮像して撮像データを生成する。指示体３Ａの発光タイミングに合わせて撮像部１０５に撮像を実行させることで、撮像データには、発光している指示体３Ａの画像が含まれる。第１プロジェクター１００は、撮像データを解析して、指示体３Ａの指示位置を検出する。指示位置は、指示体３Ａの指示する位置であって、先端部３１の位置に対応する。
【００３０】
［１−３．プロジェクター、及び指示体の詳細構成］
図３は、指示体３Ａ及び第１プロジェクター１００の構成を示すブロック図である。
まず、指示体３Ａの構成について説明する。指示体３Ａは、信号光送受信部３５、操作スイッチ３６、制御部３７及び電源部３８を備える。これらの各部は、軸部３３内に収容される。
【００３１】
信号光送受信部３５は、赤外線ＬＥＤ等の光源と、第１プロジェクター１００が送信する赤外線信号である装置信号光ＡＳＬを受光する受光素子とを備える。信号光送受信部３５は、制御部３７の制御に従って光源を点灯又は消灯させ、光源を所定の発光パターンで発光させる。
【００３２】
操作スイッチ３６は、指示体３Ａの先端部３１に内蔵され、押圧された場合にオン状態になる。
また、指示体３Ａは、ユーザーが棒状の軸部３３を手に把持して、先端部３１がスクリーンＳＣ１に接触する状態で使用される。指示体３Ａの先端部３１が壁やスクリーンＳＣ１等に接触すると、操作スイッチ３６がオン状態になる。
【００３３】
制御部３７は、信号光送受信部３５及び操作スイッチ３６に接続され、操作スイッチ３６のオン及びオフを検出する。制御部３７は、操作スイッチ３６がオンの場合と、オフの場合とで、信号光送受信部３５の光源が点灯するタイミングを変更し、点灯パターンを変更する。
換言すれば、信号光送受信部３５は、操作スイッチ３６がオンの場合には、操作スイッチ３６がオフの場合における光源の点灯パターンと相違する点灯パターンで、光源を点灯させる。
第１プロジェクター１００は、指示体３Ａが発する赤外線信号である指示体信号光ＰＳＬに基づき、先端部３１の位置を検出する。また、第１プロジェクター１００は、指示体３Ａが発する指示体信号光ＰＳＬの点灯パターンに基づき、操作スイッチ３６がオンしているか否かを判定する。
【００３４】
電源部３８は、電源として乾電池又は二次電池を有し、制御部３７、信号光送受信部３５及び操作スイッチ３６の各部に電力を供給する。指示体３Ａには、電源部３８からの電源供給をオン及びオフする電源スイッチが搭載される。
【００３５】
次に、第１プロジェクター１００の構成について説明する。
第１プロジェクター１００は、操作部、画像投射系、画像処理系及び第１制御部１５０を主要な構成として備える。画像投射系は、画像処理系によって処理された画像データに基づいて、画像光ＰＬを生成する。画像光ＰＬは、画像データの示す画像に対応する。
また、画像投射系は、生成した画像光ＰＬをスクリーンＳＣ１に投射する。画像処理系は、画像データを処理する。
【００３６】
第１プロジェクター１００は、ユーザーの操作を受け付ける操作部として、リモコン受光部１０１、信号光送信部１０３及び撮像部１０５を備える。
リモコン受光部１０１は、リモコン７から送信される赤外線信号を受光する。リモコン受光部１０１は、受光した赤外線信号に対応する操作信号を生成し、生成した操作信号を第１制御部１５０に対して出力する。操作信号は、ユーザーによって操作されたリモコン７のスイッチに対応する信号である。
【００３７】
信号光送信部１０３は、装置信号光ＡＳＬを出力する。装置信号光ＡＳＬは、指示体３Ａの発光タイミングを、撮像部１０５の撮像タイミングに同期させるための信号である。装置信号光ＡＳＬは、指示体３Ａの信号光送受信部３５によって受信可能な近赤外光の信号である。信号光送信部１０３は、第１プロジェクター１００が起動しているときには、装置信号光ＡＳＬを定期的に送信する。
【００３８】
装置信号光ＡＳＬは、例えば、指示体３Ａに対して、指示体信号光ＰＳＬを送信するタイミングを指示する制御信号である。指示体信号光ＰＳＬは、予め定められた発光パターンを有する近赤外光である。指示体３Ａは、例えば、装置信号光ＡＳＬを受信したタイミングに同期して、予め定められた発光パターンで指示体信号光ＰＳＬを送信する。指示体信号光ＰＳＬの発光パターンは、操作スイッチ３６がオンしている場合と、オフしている場合とで異なる発光パターンである。
【００３９】
撮像部１０５は、指示体３Ａの先端部３１が発する指示体信号光ＰＳＬを受光するＣＭＯＳ（Ｃｏｍｐｌｅｍｅｎｔａｒｙ  Ｍｅｔａｌ−Ｏｘｉｄｅ−Ｓｅｍｉｃｏｎｄｕｃｔｏｒ）やＣＣＤ（Ｃｈａｒｇｅ  Ｃｏｕｐｌｅｄ  Ｄｅｖｉｃｅ）等の撮像素子、撮像素子に像を結像する光学系、撮像素子による指示体信号光ＰＳＬの受光状態から撮像データを生成するデータ処理回路等を備える。
撮像部１０５は、第１制御部１５０の制御に従って、一定の時間間隔ごとにスクリーンＳＣ１を含む範囲を撮像して撮像データを生成する。撮像部１０５は、生成した撮像データを第１制御部１５０に出力する。第１制御部１５０は、撮像部１０５から入力される撮像データを後述するメモリー１６０に一時的に記憶させる。
【００４０】
画像投射系は、表示部１１０と、表示部１１０を駆動する駆動部１２０とを備える。表示部１１０は、光源１１１、光変調装置１１３及び光学ユニット１１５を備える。駆動部１２０は、光源駆動回路１２１及び光変調装置駆動回路１２３を備える。
【００４１】
光源１１１には、ハロゲンランプ、キセノンランプ、超高圧水銀ランプ等のランプ光源が用いられる。また、光源１１１には、ＬＥＤやレーザー光源等の固体光源を用いてもよい。
【００４２】
光源１１１には、光源駆動回路１２１が接続される。光源駆動回路１２１は、光源１１１及び第１制御部１５０に接続され、第１制御部１５０の制御に従って、光源１１１に駆動電流を供給し、光源１１１を点灯、及び消灯させる。
【００４３】
光変調装置１１３は、光源１１１が発する光を変調して画像光ＰＬを生成する光変調素子を備える。光変調装置１１３は、光変調素子によって変調された画像光ＰＬを光学ユニット１１５に射出する。光変調素子としては、例えば、透過型の液晶ライトバルブ、反射型の液晶ライトバルブ、デジタルミラーデバイス等を用いることができる。
【００４４】
光変調装置１１３には、光変調装置駆動回路１２３が接続される。光変調装置駆動回路１２３は、第１制御部１５０及び光変調装置１１３に接続され、第１制御部１５０の制御に従って光変調装置１１３を駆動し、光変調素子にフレーム単位で画像を描画する。例えば、光変調装置１１３が液晶ライトバルブで構成される場合、光変調装置駆動回路１２３は液晶を駆動するドライバー回路によって構成される。
【００４５】
光学ユニット１１５は、レンズやミラー等の光学素子を備え、光変調装置１１３で変調された画像光ＰＬをスクリーンＳＣ１に向けて投射する。これによりスクリーンＳＣ１には、画像光ＰＬに基づく画像が結像する。
【００４６】
次に、第１プロジェクター１００の画像処理系について説明する。
第１プロジェクター１００は、画像処理系として、入出力インターフェイス１３１、無線通信部１３３、画像処理部１３５、フレームメモリー１３７及びキャプチャーメモリー１３９を備える。
【００４７】
入出力インターフェイス１３１は、第２プロジェクター２００、第３プロジェクター３００及び外部装置１８０と接続するための接続部であって、複数のインターフェイスを備える。入出力インターフェイス１３１は、複数のインターフェイスにより複数の外部装置１８０に接続することができる。
【００４８】
外部装置１８０と接続するためのインターフェイスは、例えば、ＤＶＩ（Ｄｉｇｉｔａｌ  Ｖｉｓｕａｌ  Ｉｎｔｅｒｆａｃｅ）や、ＨＤＭＩ（登録商標：Ｈｉｇｈ−Ｄｅｆｉｎｉｔｉｏｎ  Ｍｕｌｔｉｍｅｄｉａ  Ｉｎｔｅｒｆａｃｅ）、Ｄｉｓｐｌａｙ  Ｐｏｒｔ、ＨＤＢａｓｅＴ（登録商標）等のデジタルインターフェイスであってもよい。
また、複数のインターフェイスは、ＶＧＡ（Ｖｉｄｅｏ  Ｇｒａｐｈｉｃｓ  Ａｒｒａｙ）や、Ｄ端子、Ｓ端子等のアナログインターフェイスであってもよい。また、複数のインターフェイスは、ＵＳＢ（Ｕｎｉｖｅｒｓａｌ  Ｓｅｒｉａｌ  Ｂｕｓ）やＥｔｈｅｒｎｅｔ（登録商標）、ＩＥＥＥ１３９４等の通信インターフェイスであってもよい。
【００４９】
外部装置１８０と接続するためのインターフェイスは、ケーブルを接続するコネクターと、ケーブルを介して受信した画像信号を電気的に処理するインターフェイス回路とを備える。インターフェイス回路は、画像信号を受信し、受信した画像信号に含まれる画像データや同期信号を取り出す。画像信号に含まれる画像データは、動画像の画像データであってもよいし、静止画像の画像データであってもよい。インターフェイス回路は、取り出した画像データや同期信号を画像処理部１３５に出力する。
また、インターフェイス回路は、取り出した同期信号を第１制御部１５０に出力する。画像処理部１３５は、入力された同期信号に同期して画像データの１フレームを処理する。第１制御部１５０は、入力された同期信号に同期して第１プロジェクター１００の各部を制御する。１フレームとは、１画面分の画像が表示される期間を示す。また、画像データの１フレームとは、同期信号に含まれる垂直同期信号により規定される垂直走査期間に表示される画像データに対応する。
【００５０】
第２プロジェクター２００及び第３プロジェクター３００と接続するためのインターフェイスは、Ｅｔｈｅｒｎｅｔ（登録商標）、ＩＥＥＥ１３９４等の通信インターフェイスである。
【００５１】
無線通信部１３３は、アンテナ、ＲＦ（Ｒａｄｉｏ  Ｆｒｅｑｕｅｎｃｙ）回路、ベースバンド回路等を含む通信モジュールである。無線通信部１３３は、例えば、Ｂｌｕｅｔｏｏｔｈ（登録商標）、Ｗｉ−Ｆｉ（登録商標）を含む無線ＬＡＮ、ＮＦＣ（Ｎｅａｒ  Ｆｉｅｌｄ  Ｃｏｍｍｕｎｉｃａｔｉｏｎ）等の無線通信を実行する。
無線通信部１３３は、アンテナで受信した電波からパケットデータを復調し、復調したパケットデータから画像データや同期信号を取り出す。無線通信部１３３は、取り出した画像データ及び同期信号を画像処理部１３５に出力し、同期信号を第１制御部１５０に出力する。
【００５２】
画像処理部１３５には、フレームメモリー１３７が接続される。画像処理部１３５は、入力された画像データをフレームメモリー１３７に展開する。フレームメモリー１３７は、複数のバンクを備える。各バンクは、１フレーム分の画像データを書き込み可能な記憶容量を有する。フレームメモリー１３７は、例えば、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）や、ＤＤＲ（Ｄｏｕｂｌｅ−Ｄａｔａ−Ｒａｔｅ  Ｓｙｎｃｈｒｏｎｏｕｓ  Ｄｙｎａｍｉｃ  Ｒａｎｄｏｍ  Ａｃｃｅｓｓ  Ｍｅｍｏｒｙ）等により構成される。
例えば、フレームメモリー１３７は、入出力インターフェイス１３１が備える複数のインターフェイスと、無線通信部１３３とに対応して複数のバンクを備える。画像処理部１３５は、複数のインターフェイスや無線通信部１３３から入力される画像データをフレームメモリー１３７の複数のバンクのいずれかに記憶させる。
【００５３】
また、画像処理部１３５には、キャプチャーメモリー１３９が接続される。キャプチャーメモリー１３９は、フレームメモリー１３７と同様に、ＳＤＲＡＭやＤＤＲ等により構成される。画像処理部１３５は、第１制御部１５０の制御に従って、フレームメモリー１３７に展開された画像データをキャプチャーデータとしてキャプチャーメモリー１３９に記憶させる。フレームメモリー１３７に展開した画像データをキャプチャーメモリー１３９に記憶させる動作を「キャプチャー」という。また、キャプチャーデータに基づき、第１プロジェクター１００がスクリーンＳＣ１に表示する画像を、「キャプチャー画像」という。
【００５４】
フレームメモリー１３７に展開される画像データは、外部装置１８０から入力される画像信号に基づく画像データであって、表示部１１０によりスクリーンＳＣ１に表示されるデータである。例えば、第１プロジェクター１００が６０Ｈｚの垂直同期信号に同期している場合には、フレームメモリー１３７に展開される画像データは、６０Ｈｚの逆数である１６．７ミリ秒に１回書き換えられる。フレームメモリー１３７に展開された画像データを、キャプチャーデータとしてキャプチャーメモリー１３９に記憶させることで、外部装置１８０から画像信号の入力が停止した後も、第１プロジェクター１００が単独で画像データを表示させることができる。
【００５５】
画像処理部１３５は、フレームメモリー１３７に展開した画像データに対して画像処理を行う。画像処理部１３５が行う画像処理には、例えば、解像度変換処理又はリサイズ処理、歪曲収差の補正、形状補正処理、デジタルズーム処理、画像の色合いや輝度の調整等が含まれる。画像処理部１３５は、第１制御部１５０によって指示された処理を実行し、必要に応じて、第１制御部１５０から入力されるパラメーターを使用して処理を行う。また、画像処理部１３５は、上記のうち複数の画像処理を組み合わせて実行することも勿論可能である。画像処理部１３５は、第１制御部１５０により選択されたバンクに展開された画像データをフレームメモリー１３７から読み出し、光変調装置駆動回路１２３に出力する。
【００５６】
画像処理部１３５、フレームメモリー１３７及びキャプチャーメモリー１３９は、例えば、集積回路により構成される。集積回路には、ＬＳＩ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、ＳｏＣ（Ｓｙｓｔｅｍ−ｏｎ−ａ−Ｃｈｉｐ）等が含まれる。また、集積回路の構成の一部にアナログ回路が含まれていてもよく、第１制御部１５０と集積回路とが組み合わされた構成であってもよい。
【００５７】
次に、第１制御部１５０の構成について説明する。第１制御部１５０は、メモリー１６０及びプロセッサー１７０を備えるコンピューター装置である。メモリー１６０は、ＲＡＭ（Ｒａｎｄｏｍ  Ａｃｃｅｓｓ  Ｍｅｍｏｒｙ）等の揮発性のメモリーと、ＲＯＭ（Ｒｅａｄ  Ｏｎｌｙ  Ｍｅｍｏｒｙ）やフラッシュメモリー等の不揮発性のメモリーとを備える。また、メモリー１６０が、ＨＤＤ（Ｈａｒｄ  Ｄｉｓｋ  Ｄｒｉｖｅ）を備えてもよい。
【００５８】
メモリー１６０は、プロセッサー１７０が実行する制御プログラム１６５を記憶する。また、メモリー１６０には、種々の画像データが記憶される。
【００５９】
また、メモリー１６０には、キャリブレーションデータが記憶される。キャリブレーションデータは、撮像部１０５の撮像データと、スクリーンＳＣの投射領域１０とを対応付けるデータである。より詳細には、撮像データに設定された座標と、フレームメモリー１３７に設定された座標とを対応付けるデータである。
【００６０】
プロセッサー１７０は、ＣＰＵ（Ｃｅｎｔｒａｌ  Ｐｒｏｃｅｓｓｉｎｇ  Ｕｎｉｔ）やマイコン等により構成される演算処理装置である。プロセッサー１７０は、制御プログラム１６５を実行して第１プロジェクター１００の各部を制御する。プロセッサー１７０は、単一のプロセッサーにより構成してもよいし、複数のプロセッサーにより構成することも可能である。また、プロセッサー１７０は、メモリー１６０の一部又は全部や、その他の回路と統合されたＳｏＣにより構成してもよい。また、プロセッサー１７０は、プログラムを実行するＣＰＵと、所定の演算処理を実行するＤＳＰ（Ｄｉｇｉｔａｌ  Ｓｉｇｎａｌ  Ｐｒｏｃｅｓｓｏｒ）との組合せにより構成してもよい。更に、プロセッサー１７０の機能の全てをハードウェアに実装した構成としてもよく、プログラマブルデバイスを用いて構成してもよい。
【００６１】
［１−４．制御部の機能構成］
第１制御部１５０は、機能ブロックとして、第１位置検出部１７１、第１送受信部１７３及び第１表示制御部１７５を備える。これらの機能ブロックは、プロセッサー１７０が制御プログラム１６５を実行することによって実現される機能を示す。
【００６２】
第１位置検出部１７１は、指示体３Ａの指示位置を検出し、指示体３Ａの指示位置の軌跡を示す軌跡情報を生成する。第２プロジェクター２００における軌跡情報は、「第１情報」に対応する。
具体的には、第１位置検出部１７１は、信号光送信部１０３に、装置信号光ＡＳＬを一定間隔で送信させる。また、第１位置検出部１７１は、装置信号光ＡＳＬの送信タイミングに同期して、撮像部１０５に撮像を実行させる。撮像部１０５は、スクリーンＳＣ１を含む範囲を撮像して撮像データを生成し、生成した撮像データを第１制御部１５０に出力する。撮像データは、メモリー１６０に一時的に記憶される。
【００６３】
また、第１位置検出部１７１は、メモリー１６０から撮像データを取得し、取得した撮像データを解析して指示体信号光ＰＳＬを検出する。第１位置検出部１７１は、検出した指示体信号光ＰＳＬの位置を示す座標値を、キャリブレーションデータによりフレームメモリー１３７での座標値に変換する。また、第１位置検出部１７１は、指示体信号光ＰＳＬが検出された撮像データの撮像タイミングに基づいて指示体信号光ＰＳＬの発光パターンを特定し、指示体３ＡがスクリーンＳＣに接触しているか否かを判定する。
【００６４】
第１送受信部１７３は、他のプロジェクターとの間で、種々の情報を送受信する。第１送受信部１７３は、「第１送信部」の一例に対応する。第１送受信部１７３については、図４を参照して詳細に説明する。
【００６５】
第１表示制御部１７５は、スクリーンＳＣ１に種々の画像を表示する。
具体的には、第１表示制御部１７５は、画像データを生成し、生成した画像データの画像処理を画像処理部１３５に実行させる。また、第１表示制御部１７５は、駆動部１２０を制御して表示部１１０に画像光ＰＬを生成させ、生成させた画像光ＰＬをスクリーンＳＣ１に投射させる。
第１表示制御部１７５については、図４を参照して詳細に説明する。
【００６６】
［１−５．第１制御部〜第３制御部の構成と動作］
図４は、第１制御部１５０、第２制御部２５０、及び第３制御部３５０の構成の一例を示すブロック図である。
図３を参照して説明したように、第１プロジェクター１００の第１制御部１５０は、第１位置検出部１７１、第１送受信部１７３及び第１表示制御部１７５を備える。
なお、第１プロジェクター１００は、指示体３Ａからの入力を受け付けて描画画像を生成する場合と、指示体３Ａからの入力を受け付けない場合とがある。前者の場合には、第１位置検出部１７１は不要であるため、図４では、第１位置検出部１７１を破線で示している。
【００６７】
図４に示すように、第２プロジェクター２００は、第２制御部２５０を備え、第２制御部２５０は、第２位置検出部２７１、第２送受信部２７３及び第２表示制御部２７５を備える。第２位置検出部２７１は、「位置検出部」の一例に対応する。第２送受信部２７３は、「第２送信部」の一例に対応する。
第２プロジェクター２００は、指示体３Ｂからの入力に基づき、文字、図形等の描画画像を生成する。また、第２プロジェクター２００は、スクリーンＳＣ２に画像を表示する。
【００６８】
また、第３プロジェクター３００は、第３制御部３５０を備え、第３制御部３５０は、第２送受信部２７３及び第２表示制御部２７５を備える。
第３プロジェクター３００は、スクリーンＳＣ３に画像を表示する。
なお、図２を参照して説明したように、第３プロジェクター３００は、第３制御部３５０に指示体３の指示位置を検出する位置検出部を備えておらず、ペン描画機能を有しない非インタラクティブのプロジェクターである。
【００６９】
［１−５−１．第１プロジェクターが指示体からの入力を受け付けない場合］
まず、第１プロジェクター１００が指示体３Ａからの入力を受け付けない場合の第１制御部１５０、第２制御部２５０、及び第３制御部３５０の各々の機能について説明する。
【００７０】
第１プロジェクター１００において、第１制御部１５０は、外部装置１８０から画像信号を受信し、第１画像情報ＰＪ１を生成する。第１送受信部１７３は、第１画像情報ＰＪ１を、第２プロジェクター２００及び第３プロジェクター３００に送信する。また、第１表示制御部１７５は、第１画像情報ＰＪ１に対応する第１画像Ｐ１をスクリーンＳＣ１に表示する。
【００７１】
第２プロジェクター２００において、第２制御部２５０の第２送受信部２７３は、第１プロジェクター１００から第１画像情報ＰＪ１を受信する。そして、第２表示制御部２７５は、第１画像情報ＰＪ１に対応する第１画像Ｐ１をスクリーンＳＣ２に表示する。
第２位置検出部２７１は、指示体３Ｂの指示位置を検出し、指示体３Ｂの指示位置の軌跡を示す第１情報Ｊ１を生成する。第２送受信部２７３は、第１情報Ｊ１を第１プロジェクター１００に送信する。
【００７２】
第１プロジェクター１００において、第１制御部１５０の第１送受信部１７３は、第１情報Ｊ１を第２プロジェクター２００から受信する。そして、第１制御部１５０は、第１情報Ｊ１に基づいて第１描画オブジェクトＢＪ１を生成し、第１描画オブジェクトＢＪ１と第１画像Ｐ１とを重畳することによって第２画像情報ＰＪ２を生成する。また、第１表示制御部１７５は、第２画像情報ＰＪ２に対応する第２画像Ｐ２をスクリーンＳＣ１に表示する。また、第１送受信部１７３は、第２画像情報ＰＪ２を第２プロジェクター２００及び第３プロジェクター３００の各々に送信する。
【００７３】
第２プロジェクター２００において、第２制御部２５０の第２送受信部２７３は、第２画像情報ＰＪ２を第１プロジェクター１００から受信する。そして、第２表示制御部２７５は、第２画像情報ＰＪ２に対応する第２画像Ｐ２をスクリーンＳＣ２に表示する。
【００７４】
第３プロジェクター３００において、第３制御部３５０の第３送受信部３７３は、第２画像情報ＰＪ２を第１プロジェクター１００から受信する。そして、第３表示制御部３７５は、第２画像情報ＰＪ２に対応する第２画像Ｐ２をスクリーンＳＣ３に表示する。
【００７５】
このようにして、第２画像Ｐ２が、第１プロジェクター１００、第２プロジェクター２００及び第３プロジェクター３００の各々によってスクリーンＳＣに表示される。第２画像Ｐ２は、第２プロジェクター２００において第２位置検出部２７１によって検出された指示体３Ｂの指示位置の軌跡に対応する第１描画オブジェクトＢＪ１を含む。
【００７６】
［１−５−２．第１プロジェクターが指示体からの入力を受け付ける場合］
次に、第１プロジェクター１００が指示体３Ａからの入力を受け付ける場合の第１制御部１５０、第２制御部２５０、及び第３制御部３５０の各々の機能について説明する。
【００７７】
第１プロジェクター１００において、第１制御部１５０は、外部装置１８０から画像信号を受信し、第１画像情報ＰＪ１を生成する。第１送受信部１７３は、第１画像情報ＰＪ１を、第２プロジェクター２００及び第３プロジェクター３００に送信する。また、第１表示制御部１７５は、第１画像情報ＰＪ１に対応する第１画像Ｐ１をスクリーンＳＣ１に表示する。
また、第１位置検出部１７１は、指示体３Ａの指示位置を検出し、指示体３Ａの指示位置の軌跡を示す第２情報Ｊ２を生成する。第１制御部１５０は、第２情報Ｊ２に基づいて第３描画オブジェクトＢＪ３を生成する。
【００７８】
第２プロジェクター２００において、第２制御部２５０の第２送受信部２７３は、第１プロジェクター１００から第１画像情報ＰＪ１を受信する。そして、第２表示制御部２７５は、第１画像情報ＰＪ１に対応する第１画像Ｐ１をスクリーンＳＣ２に表示する。
第２位置検出部２７１は、指示体３Ｂの指示位置を検出し、指示体３Ｂの指示位置の軌跡を示す第１情報Ｊ１を生成する。第２送受信部２７３は、第１情報Ｊ１を第１プロジェクター１００に送信する。
【００７９】
第１プロジェクター１００において、第１制御部１５０の第１送受信部１７３は、第１情報Ｊ１を第２プロジェクター２００から受信する。そして、第１制御部１５０は、第１情報Ｊ１に基づいて第１描画オブジェクトＢＪ１を生成し、第１描画オブジェクトＢＪ１と、第３描画オブジェクトＢＪ３と、第１画像Ｐ１とを重畳することによって第４画像情報ＰＪ４を生成する。また、第１表示制御部１７５は、第４画像情報ＰＪ４に対応する第４画像Ｐ４をスクリーンＳＣ１に表示する。また、第１送受信部１７３は、第４画像情報ＰＪ４を第２プロジェクター２００及び第３プロジェクター３００の各々に送信する。
【００８０】
第２プロジェクター２００において、第２制御部２５０の第２送受信部２７３は、第４画像情報ＰＪ４を第１プロジェクター１００から受信する。そして、第２表示制御部２７５は、第４画像情報ＰＪ４に対応する第４画像Ｐ４をスクリーンＳＣ２に表示する。
【００８１】
第３プロジェクター３００において、第３制御部３５０の第３送受信部３７３は、第４画像情報ＰＪ４を第１プロジェクター１００から受信する。そして、第３表示制御部３７５は、第４画像情報ＰＪ４に対応する第４画像Ｐ４をスクリーンＳＣ３に表示する。
【００８２】
このようにして、第４画像Ｐ４が、第１プロジェクター１００、第２プロジェクター２００及び第３プロジェクター３００の各々によってスクリーンＳＣに表示される。第４画像Ｐ４は、第１描画オブジェクトＢＪ１と、第３描画オブジェクトＢＪ３と、を含む。第１描画オブジェクトＢＪ１は、第２プロジェクター２００において第２位置検出部２７１によって検出された指示体３Ｂの指示位置の軌跡に対応する。第３描画オブジェクトＢＪ３は、第１プロジェクター１００において第１位置検出部１７１によって検出された指示体３Ａの指示位置の軌跡に対応する。
【００８３】
［１−５−３．第２プロジェクター及び第３プロジェクターの送信規制について］
本実施形態では、第１プロジェクター１００がサーバー装置に設定され、第２プロジェクター２００及び第３プロジェクター３００の各々がクライアント装置に設定されている。
すなわち、第１プロジェクター１００は、サーバー機能を実行する。具体的には、第１プロジェクター１００は、第２プロジェクター２００及び第３プロジェクター３００に対して、第１プロジェクター１００が生成した第１画像情報ＰＪ１及び第２画像情報ＰＪ２等の画像情報を送信する。
【００８４】
第２プロジェクター２００は、第４プロジェクター４００に対する第１画像情報ＰＪ１及び第２画像情報ＰＪ２の送信が禁止される。
具体的には、第２プロジェクター２００の第２制御部２５０は、サーバー機能を実行するメニューの表示が禁止されることによって、ユーザーがサーバー機能を実行するメニューを選択することができなくなり、第４プロジェクター４００に対する第１画像情報ＰＪ１及び第２画像情報ＰＪ２の送信が禁止される。
【００８５】
第３プロジェクター３００は、第５プロジェクター５００に対する第１画像情報ＰＪ１及び第２画像情報ＰＪ２の送信が禁止される。
具体的には、第３プロジェクター３００の第３制御部３５０は、サーバー機能を実行するメニューの表示が禁止されることによって、ユーザーがサーバー機能を実行するメニューを選択することができなくなり、第５プロジェクター５００に対する第１画像情報ＰＪ１及び第２画像情報ＰＪ２の送信が禁止される。
【００８６】
サーバー機能とは、例えば、第４プロジェクター４００等の他の装置をクライアント装置とし、第２プロジェクター２００等の自装置をサーバー装置として、自装置がサーバー装置として実行する機能を示す。また、サーバー機能とは、例えば、第５プロジェクター５００等の他の装置をクライアント装置とし、第３プロジェクター３００等の自装置をサーバー装置として、自装置がサーバー装置として実行する機能を示す。
サーバー機能は、例えば、第１画像情報ＰＪ１及び第２画像情報ＰＪ２等のサーバー装置が有する情報を、クライアント装置に対して送信する機能を含む。
【００８７】
［１−６．スクリーンに表示される画像の推移］
図５〜図７の各々は、第１制御部１５０、第２制御部２５０及び第３制御部３５０の各々の動作の一例を示す画像図である。なお、図５〜図７では、第１プロジェクターが指示体３Ａからの入力を受け付ける場合について説明する。
図５に示すように、第１制御部１５０は、外部装置１８０から画像信号を受信し、第１画像情報ＰＪ１を生成する。第１送受信部１７３は、第１画像情報ＰＪ１を、第２プロジェクター２００及び第３プロジェクター３００に送信する。また、第１表示制御部１７５は、第１画像情報ＰＪ１に対応する第１画像Ｐ１をスクリーンＳＣ１に表示する。
【００８８】
第１画像Ｐ１は、ペンギン画像ＰＥ１、ペンギン画像ＰＥ２及びペンギン画像ＰＥ３が左右方向に沿って配列された画像である。
【００８９】
また、第２制御部２５０の第２送受信部２７３は、第１プロジェクター１００から第１画像情報ＰＪ１を受信する。そして、第２表示制御部２７５は、第１画像情報ＰＪ１に対応する第１画像Ｐ１をスクリーンＳＣ２に表示する。
第３制御部３５０の第３送受信部３７３は、第１プロジェクター１００から第１画像情報ＰＪ１を受信する。そして、第３表示制御部３７５は、第１画像情報ＰＪ１に対応する第１画像Ｐ１をスクリーンＳＣ３に表示する。
【００９０】
次に、図６に示すように、第１位置検出部１７１は、指示体３Ａの指示位置を検出し、指示体３Ａの指示位置の軌跡を示す第２情報Ｊ２を生成する。第１制御部１５０は、第２情報Ｊ２に基づいて第３描画オブジェクトＢＪ３を生成する。第１制御部１５０は、第３描画オブジェクトＢＪ３と第１画像Ｐ１とを重畳することによって第５画像情報ＰＪ５を生成する。第１表示制御部１７５は、第５画像情報ＰＪ５に対応する第５画像Ｐ５をスクリーンＳＣ１に表示する。第３描画オブジェクトＢＪ３は、第１画像Ｐ１のペンギン画像ＰＥ１の下側に引かれた波線を示す。
【００９１】
第２制御部２５０の第２位置検出部２７１は、指示体３Ｂの指示位置を検出し、指示体３Ｂの指示位置を示す第１情報Ｊ１を生成する。第２送受信部２７３は、第１情報Ｊ１を第１プロジェクター１００に送信する。
また、第２制御部２５０は、第１情報Ｊ１に基づいて第２描画オブジェクトＢＪ２を生成し、第２描画オブジェクトＢＪ２と第１画像Ｐ１とを重畳することによって第３画像情報ＰＪ３を生成する。第２表示制御部２７５は、第３画像情報ＰＪ３に対応する第３画像Ｐ３をスクリーンＳＣ２に表示する。第２描画オブジェクトＢＪ２は、第１画像Ｐ１のペンギン画像ＰＥ２を囲む長円形状を示す。
【００９２】
次に、図７に示すように、第１送受信部１７３は、第１情報Ｊ１を受信し、第１制御部１５０は、第１情報Ｊ１に基づいて第１描画オブジェクトＢＪ１を生成する。第１描画オブジェクトＢＪ１は、第２描画オブジェクトＢＪ２と同一のオブジェクトであって、第１画像Ｐ１のペンギン画像ＰＥ２を囲む長円形状を示す。第１制御部１５０は、第１描画オブジェクトＢＪ１と、第３描画オブジェクトＢＪ３と、第１画像Ｐ１とを重畳することによって第４画像情報ＰＪ４を生成する。そして、第１表示制御部１７５は、第４画像情報ＰＪ４に対応する第４画像Ｐ４をスクリーンＳＣ１に表示する。
【００９３】
また、第１送受信部１７３は、第４画像情報ＰＪ４を第２プロジェクター２００及び第３プロジェクター３００の各々に送信する。第２送受信部２７３は、第４画像情報ＰＪ４を受信し、第２表示制御部２７５は、第２画像情報ＰＪ２に対応する第４画像Ｐ４をスクリーンＳＣ２に表示する。第３送受信部３７３は、第４画像情報ＰＪ４を受信し、第３表示制御部３７５は、第４画像情報ＰＪ４に対応する第４画像Ｐ４をスクリーンＳＣ３に表示する。
【００９４】
［１−７．位置検出部の検出範囲］
図８は、第１プロジェクター１００のアスペクト比と第２プロジェクター２００のアスペクト比とが相違する場合の第２位置検出部２７１の動作の一例を示す画像図である。
図８の左上図は、第１プロジェクター１００が、第１画像Ｐ１をスクリーンＳＣ１に表示した状態を示す。ここでは、第１プロジェクター１００のアスペクト比は、１６：６である。すなわち、第１プロジェクター１００の投射領域１０のアスペクト比は、１６：６である。これに対して第１画像Ｐ１のアスペクト比は、１６：９である。
投射領域１０は、第１画像Ｐ１と非表示領域ＡＲ１とを含む。非表示領域ＡＲ１は、投射領域１０のうち、画像光ＰＬが投射されない領域を示す。
また、スクリーンＳＣ１は、投射領域１０と非投射領域ＡＲ３とを含む。非投射領域ＡＲ３は、投射領域１０の外側の領域を示す。
【００９５】
図８の右上図は、第２プロジェクター２００が第１画像Ｐ１をスクリーンＳＣ２に表示した状態を示す。
ここでは、第２プロジェクター２００のアスペクト比は、４：３である。投射領域２０は、第２プロジェクター２００が画像光ＰＬを投射可能なスクリーンＳＣ２の範囲を示す。投射領域２０は、第１画像Ｐ１と、非表示領域ＡＲ１と、非表示領域ＡＲ２とを含む。非表示領域ＡＲ２は、投射領域２０のうち、画像光ＰＬが投射されない領域を示す。
また、スクリーンＳＣ２は、投射領域２０と非投射領域ＡＲ４とを含む。非投射領域ＡＲ４は、投射領域２０の外側の領域を示す。
【００９６】
図８の右下図は、第２位置検出部２７１によって受け付けられる指示体３Ｂの入力を示す。図８に示すオブジェクトＢＪＡは、指示体３Ｂの指示位置の軌跡に対応する。オブジェクトＢＪＡは、第１画像Ｐ１のペンギン画像ＰＥ２の下側から右上に向けて延び、非表示領域ＡＲ２にまで到達している。
オブジェクトＢＪＡのうち、非表示領域ＡＲ２に含まれるオブジェクトＢＪＸに対応する指示体３Ｂの指示位置を示す情報は、第２位置検出部２７１によって検出されない。
同様に、非表示領域ＡＲ１に含まれるオブジェクトに対応する指示体３Ｂの指示位置を示す情報は、第２位置検出部２７１によって検出されない。
すなわち、第２位置検出部２７１は、スクリーンＳＣ２における第１画像Ｐ１の表示領域に対する指示体３Ｂの指示位置の軌跡を検出し、第１情報Ｊ１を生成する。
【００９７】
［２．制御部の処理］
次に、図９及び図１０を参照して、第１制御部１５０、第２制御部２５０及び第３制御部３５０の処理について説明する。
図９は、第１プロジェクター１００が指示体３Ａからの入力を受け付けない場合の第１制御部１５０、第２制御部２５０、及び第３制御部３５０の各々の処理を示す。
【００９８】
図９に示すように、第１プロジェクター１００の第１制御部１５０は、以下のように処理を実行する。
まず、ステップＳＡ１０１において、第１制御部１５０は、外部装置１８０から画像信号を受信し、第１画像情報ＰＪ１を生成し、第１送受信部１７３は、第１画像情報ＰＪ１を、第２プロジェクター２００及び第３プロジェクター３００の各々に送信する。
次に、ステップＳＡ１０３において、第１表示制御部１７５は、第１画像情報ＰＪ１に対応する第１画像Ｐ１をスクリーンＳＣ１に表示する。
次に、ステップＳＡ１０５において、第１送受信部１７３は、第１情報Ｊ１を第２プロジェクター２００から受信する。
次に、ステップＳＡ１０７において、第１制御部１５０は、第１情報Ｊ１に基づいて第１描画オブジェクトＢＪ１を生成する。
次に、ステップＳＡ１０９において、第１制御部１５０は、第１描画オブジェクトＢＪ１と第１画像Ｐ１とを重畳することによって第２画像情報ＰＪ２を生成し、第１送受信部１７３は、第２画像情報ＰＪ２を第２プロジェクター２００及び第３プロジェクター３００の各々に送信する。
次に、ステップＳＡ１１１において、第１表示制御部１７５は、第２画像情報ＰＪ２に対応する第２画像Ｐ２をスクリーンＳＣ１に表示し、処理が終了する。
【００９９】
第２プロジェクター２００の第２制御部２５０は、以下のように処理を実行する。
まず、ステップＳＡ２０１において、第２送受信部２７３は、第１画像情報ＰＪ１を第１プロジェクター１００から受信する。
次に、ステップＳＡ２０３において、第２表示制御部２７５は、第１画像情報ＰＪ１に対応する第１画像Ｐ１をスクリーンＳＣ２に表示する。
次に、ステップＳＡ２０５において、第２位置検出部２７１は、指示体３Ｂ（第１指示体）の指示位置を検出し、指示体３Ｂの指示位置の軌跡を示す第１情報Ｊ１を生成する。
次に、ステップＳＡ２０７において、第２送受信部２７３は、第１情報Ｊ１を第１プロジェクター１００に送信する。
次に、ステップＳＡ２０９において、第２制御部２５０は、第１情報Ｊ１に基づいて第２描画オブジェクトＢＪ２を生成し、第２描画オブジェクトＢＪ２と第１画像Ｐ１とを重畳することによって第３画像情報ＰＪ３を生成する。そして、第２表示制御部２７５は、第３画像情報ＰＪ３に対応する第３画像Ｐ３をスクリーンＳＣ２に表示する。
次に、ステップＳＡ２１１において、第２送受信部２７３は、第２画像情報ＰＪ２を第１プロジェクター１００から受信する。
次に、ステップＳＡ２１３において、第２表示制御部２７５は、第３画像Ｐ３の表示を終了した後に、第２画像情報ＰＪ２に対応する第２画像Ｐ２をスクリーンＳＣ２に表示し、処理が終了する。
【０１００】
第３プロジェクター３００の第３制御部３５０は、以下のように処理を実行する。
まず、ステップＳＡ３０１において、第３送受信部３７３は、第１画像情報ＰＪ１を第１プロジェクター１００から受信する。
次に、ステップＳＡ３０３において、第３表示制御部３７５は、第１画像情報ＰＪ１に対応する第１画像Ｐ１をスクリーンＳＣ３に表示する。
次に、ステップＳＡ３０５において、第３送受信部３７３は、第２画像情報ＰＪ２を第１プロジェクター１００から受信する。
次に、ステップＳＡ３０７において、第３表示制御部３７５は、第２画像情報ＰＪ２に対応する第２画像Ｐ２をスクリーンＳＣ３に表示し、処理が終了する。
【０１０１】
本実施形態では、第２画像情報ＰＪ２を第１プロジェクター１００から受信した場合に、第２表示制御部２７５は、第３画像Ｐ３の表示を終了するが、本発明の実施形態はこれに限定されない。第２表示制御部２７５が、所定時間が経過した場合に、第３画像Ｐ３のスクリーンＳＣ２への表示を終了する構成であってもよい。
更に、第２表示制御部２７５が、所定時間が経過した場合に、第３画像Ｐ３のスクリーンＳＣ２への表示を終了し、第１画像Ｐ１を再度スクリーンＳＣ２に表示してもよい。
【０１０２】
図１０は、第１プロジェクター１００が指示体３Ａからの入力を受け付ける場合の第１制御部１５０、第２制御部２５０、及び第３制御部３５０の各々の処理を示す。
【０１０３】
図１０に示すように、第１プロジェクター１００の第１制御部１５０は、以下のように処理を実行する。
まず、ステップＳＢ１０１において、第１制御部１５０は、外部装置１８０から画像信号を受信し、第１画像情報ＰＪ１を生成し、第１送受信部１７３は、第１画像情報ＰＪ１を、第２プロジェクター２００及び第３プロジェクター３００の各々に送信する。
次に、ステップＳＢ１０３において、第１表示制御部１７５は、第１画像情報ＰＪ１に対応する第１画像Ｐ１をスクリーンＳＣ１に表示する。
次に、ステップＳＢ１０５において、第１位置検出部１７１は、指示体３Ａ（第２指示体）の指示位置を検出し、指示体３Ａの指示位置の軌跡を示す第２情報Ｊ２を生成する。
次に、ステップＳＢ１０７において、第１制御部１５０は、第２情報Ｊ２に基づいて第３描画オブジェクトＢＪ３を生成する。そして、第１制御部１５０は、第３描画オブジェクトＢＪ３と第１画像Ｐ１とを重畳することによって第５画像情報ＰＪ５を生成し、第１表示制御部１７５は、第１画像Ｐ１に換えて第５画像情報ＰＪ５に対応する第５画像Ｐ５をスクリーンＳＣ１に表示する。
次に、ステップＳＢ１０９において、第１送受信部１７３は、第１情報Ｊ１を第２プロジェクター２００から受信する。
次に、ステップＳＢ１１１において、第１制御部１５０は、第１情報Ｊ１に基づいて第１描画オブジェクトＢＪ１を生成する。
次に、ステップＳＢ１１３において、第１制御部１５０は、第１描画オブジェクトＢＪ１と、第３描画オブジェクトＢＪ３と、第１画像Ｐ１とを重畳することによって第４画像情報ＰＪ４を生成する。そして、第１送受信部１７３は、第４画像情報ＰＪ４を第２プロジェクター２００及び第３プロジェクター３００の各々に送信する。
次に、ステップＳＢ１１５において、第１表示制御部１７５は、第５画像Ｐ５に換えて第４画像情報ＰＪ４に対応する第４画像Ｐ４をスクリーンＳＣ１に表示し、処理が終了する。
【０１０４】
第２プロジェクター２００の第２制御部２５０は、以下のように処理を実行する。
まず、ステップＳＢ２０１において、第２送受信部２７３は、第１画像情報ＰＪ１を第１プロジェクター１００から受信する。
次に、ステップＳＢ２０３において、第２表示制御部２７５は、第１画像情報ＰＪ１に対応する第１画像Ｐ１をスクリーンＳＣ２に表示する。
次に、ステップＳＢ２０５において、第２位置検出部２７１は、指示体３Ｂ（第１指示体）の指示位置を検出し、指示体３Ｂの指示位置の軌跡を示す第１情報Ｊ１を生成する。
次に、ステップＳＢ２０７において、第２送受信部２７３は、第１情報Ｊ１を第１プロジェクター１００に送信する。
次に、ステップＳＢ２０９において、第２制御部２５０は、第１情報Ｊ１に基づいて第２描画オブジェクトＢＪ２を生成し、第２描画オブジェクトＢＪ２と第１画像Ｐ１とを重畳することによって第３画像情報ＰＪ３を生成する。そして、第２表示制御部２７５は、第３画像情報ＰＪ３に対応する第３画像Ｐ３をスクリーンＳＣ２に表示する。
次に、ステップＳＢ２１１において、第２送受信部２７３は、第４画像情報ＰＪ４を第１プロジェクター１００から受信する。
次に、ステップＳＢ２１３において、第２表示制御部２７５は、第３画像Ｐ３の表示を終了し、第４画像情報ＰＪ４に対応する第４画像Ｐ４をスクリーンＳＣ２に表示し、処理が終了する。
【０１０５】
第３プロジェクター３００の第３制御部３５０は、以下のように処理を実行する。
まず、ステップＳＢ３０１において、第３送受信部３７３は、第１画像情報ＰＪ１を第１プロジェクター１００から受信する。
次に、ステップＳＢ３０３において、第３表示制御部３７５は、第１画像情報ＰＪ１に対応する第１画像Ｐ１をスクリーンＳＣ３に表示する。
次に、ステップＳＢ３０５において、第３送受信部３７３は、第４画像情報ＰＪ４を第１プロジェクター１００から受信する。
次に、ステップＳＢ３０７において、第３表示制御部３７５は、第４画像情報ＰＪ４に対応する第４画像Ｐ４をスクリーンＳＣ３に表示し、処理が終了する。
【０１０６】
本実施形態では、第４画像情報ＰＪ４を第１プロジェクター１００から受信した場合に、第２表示制御部２７５は、第３画像Ｐ３のスクリーンＳＣ２への表示を終了するが、本発明の実施形態はこれに限定されない。第２表示制御部２７５が、第３画像Ｐ３をスクリーンＳＣ２に表示することを開始してから所定時間が経過した場合に、第３画像Ｐ３のスクリーンＳＣ２への表示を終了する構成であってもよい。
更に、第２表示制御部２７５が、所定時間が経過した場合に、第３画像Ｐ３のスクリーンＳＣ２への表示を終了し、第１画像Ｐ１を再度スクリーンＳＣ２に表示してもよい。
【０１０７】
［３．本実施形態と効果］
本実施形態に係る表示システム１の制御方法は、互いに通信可能に接続された第１プロジェクター１００、第２プロジェクター２００及び第３プロジェクター３００を備える表示システム１の制御方法であって、第１プロジェクター１００は、第１画像情報ＰＪ１を第２プロジェクター２００及び第３プロジェクター３００の各々に送信し、第２プロジェクター２００は、第１画像情報ＰＪ１に基づき第１画像Ｐ１をスクリーンＳＣ２に表示し、第２プロジェクター２００は、スクリーンＳＣ２に対する指示体３Ｂの位置を検出し、第２プロジェクター２００は、指示体３Ｂの位置を示す第１情報Ｊ１を第１プロジェクター１００に送信し、第１プロジェクター１００は、第１情報Ｊ１に基づいて第１描画オブジェクトＢＪ１を生成し、第１描画オブジェクトＢＪ１を含む第２画像情報ＰＪ２を第２プロジェクター２００及び第３プロジェクター３００の各々に送信し、第２プロジェクター２００及び第３プロジェクター３００の各々は、第２画像情報ＰＪ２に基づき、第２画像Ｐ２を表示する。
このように、第２プロジェクター２００が、指示体３Ｂの位置を示す第１情報Ｊ１を第１プロジェクター１００に送信する。また、第１プロジェクター１００が、第１情報Ｊ１に基づいて第１描画オブジェクトＢＪ１を生成し、第１描画オブジェクトＢＪ１を含む第２画像情報ＰＪ２を第２プロジェクター２００及び第３プロジェクター３００の各々に送信する。したがって、第３プロジェクター３００のようにペン描画機能を有さないプロジェクターであっても、ペンにより入力された文字や図形等の情報を共有できる。
【０１０８】
また、第２プロジェクター２００は、第２プロジェクター２００と通信可能に接続された第４プロジェクター４００に対する第１画像情報ＰＪ１及び第２画像情報ＰＪ２の送信が禁止され、第３プロジェクター３００は、第３プロジェクター３００と通信可能に接続された第５プロジェクター５００に対する第１画像情報ＰＪ１及び第２画像情報ＰＪ２の送信が禁止される。
よって、第１画像情報ＰＪ１及び第２画像情報ＰＪ２の少なくとも一方が第４プロジェクター４００及び第５プロジェクター５００の少なくとも一方に送信されることを抑制できる。したがって、第１画像情報ＰＪ１及び第２画像情報ＰＪ２に機密情報等が含まれている場合に、機密情報等の漏洩を抑制できる。
【０１０９】
また、第２プロジェクター２００は、サーバー機能を実行するメニューの表示が禁止されることによって、第４プロジェクター４００に対する第１画像情報ＰＪ１及び第２画像情報ＰＪ２の送信が禁止され、第３プロジェクター３００は、サーバー機能を実行するメニューの表示が禁止されることによって、第５プロジェクター５００に対する第１画像情報ＰＪ１及び第２画像情報ＰＪ２の送信が禁止される。
したがって、簡素な構成で、第１画像情報ＰＪ１及び第２画像情報ＰＪ２の少なくとも一方が第４プロジェクター４００及び第５プロジェクター５００の少なくとも一方に送信されることを抑制できる。
【０１１０】
また、第２プロジェクター２００は、第１情報Ｊ１に基づいて第２描画オブジェクトＢＪ２を生成し、第２描画オブジェクトＢＪ２を含む第３画像Ｐ３をスクリーンＳＣ２に表示する。
第２描画オブジェクトＢＪ２は、指示体３ＢによってスクリーンＳＣ２上に描かれた文字や図形等の情報に対応する。よって、第２プロジェクター２００が第２画像情報ＰＪ２を受信する前に、第２描画オブジェクトＢＪ２をスクリーンＳＣ２に表示できる。したがって、ユーザーの違和感を軽減できる。
【０１１１】
また、第２プロジェクター２００は、第３画像Ｐ３をスクリーンＳＣ２に表示することを開始してから所定時間が経過した場合に、第３画像Ｐ３のスクリーンＳＣ２への表示を終了する。
したがって、第３画像Ｐ３をスクリーンＳＣ２に表示することを開始してから所定時間が経過した場合に、第３画像Ｐ３のスクリーンＳＣ２への表示を終了するため、所定時間を適正な時間に設定することによって、ユーザーの利便性を向上できる。
【０１１２】
また、第２プロジェクター２００は、第１プロジェクター１００から第２画像情報ＰＪ２を受信した場合に、第３画像Ｐ３のスクリーンＳＣ２への表示を終了する。
よって、第１プロジェクター１００から第２画像情報ＰＪ２を受信した場合に、第３画像Ｐ３のスクリーンＳＣ２への表示を終了するため、第３画像Ｐ３に換えて第２画像Ｐ２をスクリーンＳＣ２に表示できる。したがって、ユーザーの違和感を軽減できる。
【０１１３】
また、第２プロジェクター２００は、スクリーンＳＣ２における第１画像Ｐ１の表示領域に対する指示体３Ｂの位置を検出する。
よって、スクリーンＳＣ２における第１画像Ｐ１の表示領域に対する指示体３Ｂの位置を検出するため、指示体３Ｂの位置を適正に検出できる。したがって、ユーザーの所望するオブジェクトをスクリーンＳＣ２に表示できる。
【０１１４】
また、第１プロジェクター１００は、第１画像Ｐ１に第１描画オブジェクトＢＪ１を重畳して第２画像情報ＰＪ２を生成する。
よって、第１画像Ｐ１に第１描画オブジェクトＢＪ１を重畳して第２画像情報ＰＪ２を生成するため、第２画像Ｐ２として適正な画像が生成される。したがって、ユーザーの所望する画像を表示できる。
【０１１５】
また、第１プロジェクター１００は、第１画像Ｐ１をスクリーンＳＣ１に表示し、スクリーンＳＣ１に対する指示体３Ａの位置を検出し、指示体３Ａの位置に基づいて第３描画オブジェクトＢＪ３を生成し、第１描画オブジェクトＢＪ１及び第３描画オブジェクトＢＪ３を含む第４画像情報ＰＪ４を第２プロジェクター２００及び第３プロジェクター３００の各々に送信し、第２プロジェクター２００及び第３プロジェクター３００の各々は、第４画像情報ＰＪ４に基づき、第４画像Ｐ４を表示する。
よって、第４画像情報ＰＪ４が第１描画オブジェクトＢＪ１及び第３描画オブジェクトＢＪ３を含むため、第１描画オブジェクトＢＪ１及び第３描画オブジェクトＢＪ３がスクリーンＳＣ２及びスクリーンＳＣ３の各々に表示される。また、第１描画オブジェクトＢＪ１は、スクリーンＳＣ２に描画された文字や図形等の情報に対応し、第３描画オブジェクトＢＪ３は、スクリーンＳＣ１に描画された文字や図形等の情報に対応する。したがって、ユーザーの利便性を向上できる。
【０１１６】
また、第１プロジェクター１００は、第１画像Ｐ１に第１描画オブジェクトＢＪ１及び第３描画オブジェクトＢＪ３を重畳して第４画像情報ＰＪ４を生成する。
よって、第１画像Ｐ１に第１描画オブジェクトＢＪ１及び第３描画オブジェクトＢＪ３を重畳して第４画像情報ＰＪ４を生成するため、第４画像Ｐ４として適正な画像が生成される。したがって、ユーザーの所望する画像を表示できる。
【０１１７】
本実施形態に係る表示システム１は、互いに通信可能に接続された第１プロジェクター１００、第２プロジェクター２００及び第３プロジェクター３００を備える表示システム１であって、第１プロジェクター１００は、第１画像情報ＰＪ１を第２プロジェクター２００及び第３プロジェクター３００の各々に送信する第１送受信部１７３を備え、第２プロジェクター２００は、第１画像情報ＰＪ１に基づき第１画像Ｐ１をスクリーンＳＣ２に表示する第２表示制御部２７５と、スクリーンＳＣ２に対する指示体３Ｂの位置を検出する第２位置検出部２７１と、指示体３Ｂの位置を示す第１情報Ｊ１を第１プロジェクター１００に送信する第２送受信部２７３と、を備え、第１プロジェクター１００は、第１情報Ｊ１に基づいて第１描画オブジェクトＢＪ１を生成し、第１送受信部１７３は、第１描画オブジェクトＢＪ１を含む第２画像情報ＰＪ２を第２プロジェクター２００及び第３プロジェクター３００の各々に送信し、第２プロジェクター２００及び第３プロジェクター３００の各々は、第２画像情報ＰＪ２に基づき、第２画像Ｐ２を表示する。
このように、第２プロジェクター２００が、指示体３Ｂの位置を示す第１情報Ｊ１を第１プロジェクター１００に送信する。また、第１プロジェクター１００が、第１情報Ｊ１に基づいて第１描画オブジェクトＢＪ１を生成し、第１描画オブジェクトＢＪ１を含む第２画像情報ＰＪ２を第２プロジェクター２００及び第３プロジェクター３００の各々に送信する。したがって、第３プロジェクター３００のようにペン描画機能を有さないプロジェクターであっても、ペンにより入力された文字や図形等の情報を共有できる。
【０１１８】
［４．他の実施形態］
上述した実施形態は本発明を適用した具体的態様の例に過ぎず、本発明を限定するものではなく、異なる態様として本発明を適用することも可能である。
例えば、上記実施形態では、「表示装置」の一例として「プロジェクター」を示したが、本発明の第１表示装置〜第３表示装置等の「表示装置」は、液晶ディスプレイであってもよい。また、プラズマディスプレイパネルや有機ＥＬパネル等を備えた表示装置であってもよい。
【０１１９】
また、上記実施形態では、第１情報Ｊ１が指示体３Ｂの指示位置の軌跡を示す場合について説明したが、本発明の実施形態はこれに限定されない。第１情報Ｊ１が、指示体３Ｂの指示位置の軌跡を示す情報に加えて、線種を示す情報、線の太さを示す情報、及び線の色を示す情報の少なくとも一方を含んでもよい。この場合には、第２画像Ｐ２として多様な画像を生成できる。したがって、ユーザーの利便性を向上できる。
【０１２０】
また、表示装置の制御方法を、表示装置が備えるコンピューターを用いて実現される場合、このコンピューターに実行させるプログラムを記録媒体、又はこのプログラムを伝送する伝送媒体の態様で構成することも可能である。記録媒体には、磁気的、光学的記録媒体又は半導体メモリーデバイスを用いることができる。具体的には、フレキシブルディスク、ＨＤＤ、ＣＤ−ＲＯＭ（Ｃｏｍｐａｃｔ  Ｄｉｓｋ  Ｒｅａｄ  Ｏｎｌｙ  Ｍｅｍｏｒy）、ＤＶＤ（Ｄｉｇｉｔａｌ  Ｖｅｒｓａｔｉｌｅ  Ｄｉｓｋ）、Ｂｌｕ−ｒａｙ（登録商標）  Ｄｉｓｃ、光磁気ディスク、フラッシュメモリー、カード型記録媒体等の可搬型、或いは固定式の記録媒体が挙げられる。また、上記記録媒体は、画像表示装置が備える内部記憶装置であるＲＡＭ、ＲＯＭ、ＨＤＤ等の不揮発性記憶装置であってもよい。
【０１２１】
また、図３に示した第１プロジェクター１００の機能ブロックのうち少なくとも一部は、ハードウェアで実現してもよいし、ハードウェアとソフトウェアの協働により実現される構成としてもよい。また、図３に示した通りに独立したハードウェア資源を配置する構成に限定されず、図示した以外の機能部を備える構成であってもよい。
【０１２２】
また、図４に示した第１制御部１５０、第２制御部２５０及び第３制御部３５０の機能ブロックのうち少なくとも一部は、ハードウェアで実現してもよいし、ハードウェアとソフトウェアの協働により実現される構成としてもよい。
【０１２３】
また、図９及び図１０に示すフローチャートの処理単位は、第１制御部１５０、第２制御部２５０及び第３制御部３５０の処理の理解を容易にするために、主な処理内容に応じて分割したものである。このため、図９及び図１０のフローチャートに示す処理単位の分割の仕方や名称によって本発明が制限されることはない。また、第１制御部１５０、第２制御部２５０及び第３制御部３５０の処理は、処理内容に応じて、更に多くの処理単位に分割することもできるし、１つの処理単位がさらに多くの処理を含むように分割することもできる。また、上記のフローチャートの処理順序も、図示した例に限られるものではない。
【符号の説明】
【０１２４】
１…表示システム、３…指示体、３Ａ…指示体（第２指示体）、３Ｂ…指示体（第１指示体）、７…リモコン、１０、２０…投射領域、３１…先端部、３３…軸部、３５…信号光送受信部、３６…操作スイッチ、３７…制御部、３８…電源部、１００…第１プロジェクター（第１表示装置）、１０１…リモコン受光部、１０３…信号光送信部、１０５…撮像部、１１１…光源、１１３…光変調装置、１１５…光学ユニット、１２０…駆動部、１２１…光源駆動回路、１２３…光変調装置駆動回路、１３１…入出力インターフェイス、１３３…無線通信部、１３５…画像処理部、１３７…フレームメモリー、１３９…キャプチャーメモリー、１５０…第１制御部、１６０…メモリー、１６５…制御プログラム、１７０…プロセッサー、１７１…第１位置検出部、１７３…第１送受信部（第１送信部）、１７５…第１表示制御部、１８０…外部装置、２００…第２プロジェクター（第２表示装置）、２５０…第２制御部、２７１…第２位置検出部（位置検出部）、２７３…第２送受信部（第２送信部）、２７５…第２表示制御部、３００…第３プロジェクター（第３表示装置）、３５０…第３制御部、３７３…第３送受信部、３７５…第３表示制御部、４００…第４プロジェクター（第４表示装置）、５００…第５プロジェクター（第５表示装置）、ＢＪ１…第１描画オブジェクト、ＢＪ２…第２描画オブジェクト、ＢＪ３…第３描画オブジェクト、Ｊ１…第１情報、Ｊ２…第２情報、Ｐ１…第１画像、Ｐ２…第２画像、Ｐ３…第３画像、Ｐ４…第４画像、Ｐ５…第５画像、ＰＪ１…第１画像情報、ＰＪ２…第２画像情報、ＰＪ３…第３画像情報、ＰＪ４…第４画像情報、ＰＪ５…第５画像情報、ＳＣ、ＳＣ３…スクリーン、ＳＣ１…スクリーン（第２表示面）、ＳＣ２…スクリーン（第１表示面）。
【図１】
2020190619.tif 000003
【図２】
2020190619.tif 000004
【図３】
2020190619.tif 000005
【図４】
2020190619.tif 000006
【図５】
2020190619.tif 000007
【図６】
2020190619.tif 000008
【図７】
2020190619.tif 000009
【図８】
2020190619.tif 000010
【図９】
2020190619.tif 000011
【図１０】
2020190619.tif 000012